(57)【要約】【課題】機器搭載用のハニカムベンチの上面板の伸びや縮みを抑制するように、ベンチの上面板の温度を一定に保つ、極めて簡単で安価な装置を提供する。【解決手段】ハニカムコア２の上下面及び前後左右の側面を被うように上面板７、下面板３、前後側板及び左右側板５を固定して扁平な直方体を形成したハニカムベンチにおいて、前記ハニカムコア２の上面に仕切り板６を被覆し、当該仕切り板６と上面板７との間に密閉された空間８を設け、上面板７の各ネジ穴用タップ９に対向する前記空間８の箇所に、各ネジ穴用タップ９を受ける、上面が開口した容器状のキャップ１０を設け、これらの多数のキャップ１０の間の前記空間８を冷温媒体が通るタンクとし、ベンチの一側に設けた挿入口端子１１と前記タンクとを連通させ、また、ベンチの他側に設けた排出口端子１２と前記タンクとを連通させた。【選択図】      図４
0003165015.tif 000002
【実用新案登録請求の範囲】
【請求項１】
ハニカムコアの上下面及び前後左右の側面を被うように上面板、下面板、前後側板及び左右側板を固定して扁平な直方体を形成し、前記上面板に間隔をあけて、当該上面板の上下面を貫通する多数のネジ穴用タップを設けたハニカムベンチにおいて、
前記ハニカムコアの上面に仕切り板を被覆し、当該仕切り板と上面板との間に密閉された空間を設け、
前記上面板の各ネジ穴用タップに対向する前記空間の箇所に、各ネジ穴用タップを受ける、上面が開口した容器状のキャップを設け、
これらの多数のキャップの間の前記空間を冷温媒体が通るタンクとし、
ベンチの一側に設けた挿入口端子と前記タンクとを連通させ、また、ベンチの他側に設けた排出口端子と前記タンクとを連通させ、
前記タンクを上面板のほぼ全面に渡って設けたことを特徴とする、機器搭載用ハニカムベンチ。
【請求項２】
ハニカムコアの上下面及び前後左右の側面を被うように上面板、下面板、前後側板及び左右側板を固定して扁平な直方体を形成し、前記上面板に間隔をあけて多数のネジ穴用タップを設けたハニカムベンチにおいて、
前記ハニカムコアの上面に仕切り板を被覆し、当該仕切り板と上面板との間に密閉された空間を設け、
当該空間内に上端を上面板に、下端を仕切り板に当接させたボスを、当該空間内に間隔をあけて多数設け、
これらの多数のボスの間の空間を冷温媒体が通るタンクとし、
ベンチの一側に設けた挿入口端子と前記タンクとを連通させ、また、ベンチの他側に設けた排出口端子と前記タンクとを連通させ、
前記タンクを上面板のほぼ全面に渡って設けたことを特徴とする、機器搭載用ハニカムベンチ。
【請求項３】
前記空間の下面の１箇所又は複数個所に、ハニカムコアを通り下面板の下面に至る、常時は栓をした、排出孔を設けたことを特徴とする、請求項１又は２に記載の機器搭載用ハニカムベンチ。
【請求項４】
前記タンク内に冷温媒体を送る送り手段を設けたことを特徴とする、請求項１、２又は３のいずれかに記載の機器搭載用ハニカムベンチ。
【請求項５】
前記タンクに挿通する冷温媒体を一定の温度に保持する制御手段を設けたことを特徴とする、請求項１、２、３又は４のいずれかに記載の機器搭載用ハニカムベンチ。
【請求項６】
前記タンクに入れる冷温媒体を循環させる手段を設けたことを特徴とする、  請求項１、２、３、４又は５のいずれかに記載の機器搭載用ハニカムベンチ。
【考案の詳細な説明】
【技術分野】
【０００１】
この考案は、主にレーザー等を光源に用いた光学式の測長装置等を搭載して微小の距離等を測る、機器搭載用ハニカムベンチに関するものである。
【背景技術】
【０００２】
従来、ベンチと言われる定盤にレーザーを光源としたレーザー測長装置を載置して、当該ベンチの上で微小な距離を測ることが行われているが、これに用いるベンチは、特許文献１に示すように、軽量かつ剛性を有するため、アルミやスチール、非磁性のステンレスのハニカムベンチが多く使用されている。
【０００３】
これらのハニカムベンチは、空気の容積率が約９０パーセント有り、夏や冬等の気温の変化や室温の変化によって伸びたり縮んだりする。また、搭載した機器に熱源がある場合も、設置した周辺のベンチの上面板が伸びる。この様にベンチが全体に又は部分的に伸びたり、縮んだりすると、この上での測長では測定する距離が狂ってしまい、測定が不正確になってしまう。
【０００４】
【特許文献１】実公平３−２５４５２号公報
【考案の開示】
【考案が解決しようとする課題】
【０００５】
しかし、前記ハニカムベンチを収容した室内の温度を常時一定に保つには、極めて精密な空気調和装置が必要であり、大掛かりで高価な設備となってしまう。また、部分的な伸び等を補うことも技術的に難しい。
【０００６】
そこでこの考案は、この様な機器搭載用のハニカムベンチの部材の中でも、特に機器を搭載する上面板の伸びや縮みを抑制するように、ベンチの上面板の温度を一定に保つ、極めて簡単で安価な装置を提供することを目的としたものである。
【課題を解決するための手段】
【０００７】
請求項１の考案は、ハニカムコアの上下面及び前後左右の側面を被うように上面板、下面板、前後側板及び左右側板を固定して扁平な直方体を形成し、前記上面板に間隔をあけて、当該上面板の上下面を貫通する多数のネジ穴用タップを設けたハニカムベンチにおいて、前記ハニカムコアの上面に仕切り板を被覆し、当該仕切り板と上面板との間に密閉された空間を設け、前記上面板の各ネジ穴用タップに対向する前記空間の箇所に、各ネジ穴用タップを受ける、上面が開口した容器状のキャップを設け、これらの多数のキャップの間の前記空間を冷温媒体が通るタンクとし、ベンチの一側に設けた挿入口端子と前記タンクとを連通させ、また、ベンチの他側に設けた排出口端子と前記タンクとを連通させ、前記タンクを上面板のほぼ全面に渡って設けた、機器搭載用ハニカムベンチとした。
【０００８】
また、請求項２の考案は、ハニカムコアの上下面及び前後左右の側面を被うように上面板、下面板、前後側板及び左右側板を固定して扁平な直方体を形成し、前記上面板に間隔をあけて多数のネジ穴用タップを設けたハニカムベンチにおいて、前記ハニカムコアの上面に仕切り板を被覆し、当該仕切り板と上面板との間に密閉された空間を設け、当該空間内に上端を上面板に、下端を仕切り板に当接させたボスを、当該空間内に間隔をあけて多数設け、これらの多数のボスの間の空間を冷温媒体が通るタンクとし、ベンチの一側に設けた挿入口端子と前記タンクとを連通させ、また、ベンチの他側に設けた排出口端子と前記タンクとを連通させ、前記タンクを上面板のほぼ全面に渡って設けた、機器搭載用ハニカムベンチとした。
【０００９】
また、請求項３の考案は、請求項１又は２の考案において、前記空間の下面の１箇所又は複数個所に、ハニカムコアを通り下面板の下面に至る、常時は栓をした、排出孔を設けた、機器搭載用ハニカムベンチとした。
【００１０】
また、請求項４の考案は、請求項１、２又は３のいずれかの考案において、前記タンク内に冷温媒体を送る送り手段を設けた、機器搭載用ハニカムベンチとした。
【００１１】
また、請求項５の考案は、請求項１、２、３又は４のいずれかの考案において、前記タンクに挿通する冷温媒体を一定の温度に保持する制御手段を設けた、機器搭載用ハニカムベンチとした。
【００１２】
また、請求項６の考案は、請求項１、２、３、４又は５のいずれかの考案において、前記タンクに入れる冷温媒体を循環させる手段を設けた、機器搭載用ハニカムベンチとした。
【考案の効果】
【００１３】
請求項１及び２の考案によれば、ベンチの上面板の下面に接してに、当該上面板のほぼ全面に渡って扁平なタンクを設け、当該タンクに一定の温度の冷温媒体を挿通することができる為、所望の一定の温度でベンチの上面板の温度を保持することができ、それ故、当該ベンチの上面板の温度による伸縮を抑えることができる。従って、ベンチに搭載する機器、特に微小な距離を測定する機器の精度を保持することができる。また、前記冷温媒体には、冷水、温水、その他の流体、気体が含まれる。そのうち、冷水、特に水道水の場合は、ベンチの挿入口に、水道の蛇口に接続したホースを接続することにより、一定温度の水をタンクに容易に挿通することができる。この様にこの考案によれば、ハニカムベンチの上面板を一定の温度に保持することができる為、大がかりな設備を要せず、簡単にハニカムベンチの上面板の伸縮を抑えることができる。
【００１４】
請求項３の考案は、タンクの下面に設けた排出孔の栓を抜けば、自然にタンク内の冷温媒体が抜ける。従って、タンク内の冷温媒体をすべて抜いたり、交換したりする場合に、冷温媒体を容易かつ確実に抜くことができる。
【００１５】
請求項４の考案は、タンク内に冷温媒体を送る送り手段を設けたので、種々の冷温媒体をタンク内に挿通することができる。
【００１６】
また、請求項５の考案によれば、冷温媒体を一定の温度に保持する制御手段をも設けたので、極めて容易に冷温媒体を一定の温度に保持することができる。
【００１７】
また、請求項６の考案によれば、冷温媒体をタンクの内外で循環させるため、一定量の冷温媒体を長時間にわたって使用でき、多量の冷温媒体を必要とせず、コストを低く抑えることができる。
【考案を実施するための最良の形態】
【００１８】
この考案は、ハニカムコアの上下面及び前後左右の側面を被うように上面板、下面板、前後側板及び左右側板を固定して扁平な直方体を形成し、前記上面板に間隔をあけて、当該上面板の上下面を貫通する多数のネジ穴用タップを設けたハニカムベンチにおいて、前記ハニカムコアの上面に仕切り板を被覆し、当該仕切り板と上面板との間に密閉された空間を設け、前記上面板の各ネジ穴用タップに対向する前記空間の箇所に、各ネジ穴用タップを受ける、上面が開口した容器状のキャップを設け、これらの多数のキャップの間の前記空間を冷温媒体が通るタンクとし、ベンチの一側に設けた挿入口と前記タンクとを連通させ、また、ベンチの他側に設けた排出口と前記タンクとを連通させ、前記タンクを上面板のほぼ全面に渡って設けた構成としたため、容易にハニカムベンチの上面板の温度を保持でき、ベンチの上面板の伸縮を制御することができる。  
【実施例１】
【００１９】
以下、この考案の実施例１を図に基づいて説明する。図１はこの考案のハニカムベンチの平面図、図２は同正面図、図３は同右側面図、図４は第１図のＡ−Ａ断面図、図５は第４図の断面図の丸印箇所の拡大詳細図、図６は同ハニカムベンチのハニカムコアを示す一部破断斜視図である。
【００２０】
この考案のハニカムベンチ１は、図６に示すように、多数の蜂の巣状の断面を有するハニカムコア２の下端縁を被うように、下面板３が接着材で固定されている。また、図２、図３及び図６に示すように、ハニカムコア２の周囲は、下面板３の各辺に沿って設けられた前後側板４及び左右側板５に被われている。そして前記ハニカムコア２の上面は仕切り板６で被われている。
【００２１】
また、図４及び図５に示すように、当該仕切り板６の上方に、仕切り板６から浮いて、上面板７が設けられている。この上面板７は四辺を前後側板４や左右側板５の上端に支持され、仕切り板６と上面板７との間に密閉された空間８が形成されている。
【００２２】
そして前記上面板７の上面には、ほぼ一定間隔でネジ穴用タップ用タップ９が縦横に多数設けられている。これらのタップ９は、当該ハニカムベンチ１に搭載する機器を固定するため、当該機器の基盤に穿った孔を通してボルトを螺着するものである。また、これらのネジ穴用タップ用タップ９は上面板７の上下面を貫通している。なお、図１中の各ネジ穴用タップ９を結ぶ格子状の線は仮想の中心線を示し、また、各ネジ穴用タップ９の周囲の円孤は後述のキャップ１０を示す。
【００２３】
前記上面板７の各ネジ穴用タップ９に対向する前記空間８の箇所に、各ネジ穴用タップ９を受ける、上面が開口した容器状のキャップ１０を設け、これらの多数のキャップ１０の間の前記空間８を冷温媒体が通るタンクとしている。また、ハニカムベンチ１の一端及び他端にそれぞれ挿入口端子１１及び排出口端子１２が設けられ、これらの挿入口端子１１及び排出口端子１２は前記空間８、すなわちタンクに通じている。そして、前記挿入口端子１１からタンク内部に冷温水が挿通され、排出口端子１２から外部に排出される。
【００２４】
また、当該実施例１の図１から図５では挿入口端子１１及び排出口端子１２は、夫々上面板７の前後端縁と左右側板５の両端に設けているが、これらの挿入口端子１１及び排出口端子１２は、上面板７か左右側板５のいずれかに設ければよく。取り付け場所及び個数は任意である。また、図示は省略したが、前記下面板３と上面板７の間に複数のボスが間隔をあけて設けられている。
【００２５】
また、図４及び図５に示すように、タンクである空間８の複数箇所の下面から前記ハニカムコア２を通って下面板３の下面に至る排出孔１３が設けられ、常時は栓１３ａで塞がれている。これらの排出孔１３はタンク内の冷温水を抜く場合や取り替える場合等に用いるものである。なお、図４及び図５の各ネジ穴用タップ９及びキャップ１０、排出孔１３の垂直線はそれぞれ仮想の中心線を示す。
【００２６】
そして、別途設けた、一定温度の冷温水をポンプなどの送水手段（図示省略）により、パイプ又はホースを介して各挿入口端子１１からタンクである空間８内に送り込み、タンク内に前記冷温水を流し、各排出口端子１２から当該排出口端子１２に接続したパイプ又はホース（図示省略）を介して適宜箇所に排出する。このタンク内の冷温水の温度を上面板７に伝達させ、これにより当該上面板７の温度を一定に保つものである。
【００２７】
従って、前記冷温水は、既存の冷却装置や加熱装置と温度制御装置（図示省略）を組み合わせることにより、その温度を一定に保って、前記タンクである空間８に送り込むことができ、前記温度制御手段により、所定の温度に調節も可能である。
【００２８】
また、前記実施例１では、タンク内の冷温水を排出口端子１２から排出して適宜箇所に排出しているが、これらの排出された冷温水を回収し、貯留タンク（図示省略）にため、この貯留タンクからボンプ等で再び各挿入口端子１１に送り、冷温水をタンクである空間８の内外で循環させる構造にすることもできる。
【００２９】
なお、前記実施例１では冷温水をタンクに挿通させたが、これに限らず、他の流体や気体を冷温媒体として挿通させることができる。
【実施例２】
【００３０】
図７は、この考案の実施例２を示すもので、ハニカムベンチの平面図、図８は図７のＡ−Ａ栓断面図、図９は図８の丸印箇所の拡大詳細断面図である。
【００３１】
この実施例２のハニカムベンチ１は、実施例１のハニカムベンチ１とほぼ同じであり、ネジ穴用タップ９が上面板７の上下を貫通しておらず、上面板７の途中で止まっている。それ故、キャップ１０の代わりに、多数のボス１４が上面板７と仕切り板６の間に、間隔をあけて設けられている。また、前記各ボス１４は短円柱状でその上面で小径の短円柱状部を有した二段円柱形状であり、小径の短円柱部を前記上面板７に挿入させている。その他の構成は実施例１と同じである。なお、図７中の各ネジ穴用タップ７を結ぶ格子状の線は仮想の中心線を示し、また、４個のネジ穴用タップ９で囲まれた各円孤は前記各ボス１４を示す。また、図８および図９の各ネジ穴用タップ９及び各排出孔１３の垂直線はそれぞれ仮想の中心線を示す。
【００３２】
そして、別途設けた、一定温度の冷温水をポンプなどの送水手段（図示省略）により、パイプ又はホースを介して各挿入口端子１１からタンクである空間８内に送り込み、タンク内に前記冷温水を流し、各排出口端子１２から当該排出口端子１２に接続したパイプ又はホース（図示省略）を介して適宜箇所に排出する。このタンク内の冷温水の温度を上面板７に伝達させ、これにより当該上面板７の温度を一定に保つものである。
【００３３】
また、前記実施例１及び２のハニカムベンチ１又は１１はアルミ製のものであるが、スチール製、非磁性のステンレス製のものでもよい。
【００３４】
さらに、この考案のハニカムベンチは防振台のベンチとして使用する外、実験台の上に載せたり、適宜の架台、机等に載せて使用するものである。
【図面の簡単な説明】
【００３５】
【図１】この考案の実施例１のハニカムベンチの平面図である。
【図２】この考案の実施例１のハニカムベンチの正面図である。
【図３】この考案の実施例１のハニカムベンチの右側面図である。
【図４】この考案の実施例１のハニカムベンチの縦断面を示すもので、図１のＡ−Ａ断面図である。
【図５】この考案の実施例１のハニカムベンチの縦断面を示すもので、図４の丸印箇所の拡大詳細図である。
【図６】この考案の実施例１のハニカムベンチのハニカムコアを示す一部破断斜視図である。
【図７】この考案の実施例２のハニカムベンチの平面図である。
【図８】この考案の実施例２のハニカムベンチの縦断面を示すもので、図７のＡ−Ａ断面図である。
【図９】この考案の実施例２のハニカムベンチの縦断面を示すもので、図８の丸印箇所の拡大詳細図である。
【符号の説明】
【００３６】
１      ハニカムベンチ            ２      ハニカムコア
３      下面板                    ４      前後側板
５      左右側板                  ６      仕切り板
７      上面板                    ８      空間
９      ネジ穴用タップ            １０    キャップ
１１    挿入口端子                １２    排出口端子
１３    排出孔                    １３ａ  栓
１４    ボス                      
【図１】
0003165015.tif 000003
【図２】
0003165015.tif 000004
【図３】
0003165015.tif 000005
【図４】
0003165015.tif 000006
【図５】
0003165015.tif 000007
【図６】
0003165015.tif 000008
【図７】
0003165015.tif 000009
【図８】
0003165015.tif 000010
【図９】
0003165015.tif 000011